(57)【要約】【課題】正規の嵌合状態にある一対のコネクタハウジングが、その嵌合方向と交差する方向に大きく相対変位することを防ぐことが可能なコネクタを提供する。【解決手段】互いに嵌合可能な一対のコネクタハウジング１０，３０を有し、前記一対のコネクタハウジング１０，３０のうち一方のコネクタハウジング１０には、他方のコネクタハウジング３０に外嵌可能なフード部１１が設けられ、前記一対のコネクタハウジング１０，３０の正規の嵌合状態において前記フード部１１の外周面にバンド４０が巻き付けられている。【選択図】図１
2015103368.tif 000002
【特許請求の範囲】
【請求項１】
互いに嵌合可能な一対のコネクタハウジングを有し、
前記一対のコネクタハウジングのうち一方のコネクタハウジングには、他方のコネクタハウジングに外嵌可能なフード部が設けられ、
前記一対のコネクタハウジングの正規の嵌合状態において前記フード部の外周面にバンドが巻き付けられているコネクタ。
【請求項２】
前記バンドは合成樹脂製である請求項１に記載のコネクタ。
【請求項３】
前記一対のコネクタハウジングが嵌合する前の状態において前記フード部の外周面に前記バンドが予め装着され、
前記他方のコネクタハウジングには、前記一対のコネクタハウジングの嵌合動作に伴って前記フード部と前記バンドとの間に差し込まれる差込突部が設けられ、
前記一対のコネクタハウジングの正規の嵌合状態では、前記差込突部が前記バンドの一部を外側に押すことで前記バンドの他の部分が前記フード部に押し付けられるものである請求項１または請求項２に記載のコネクタ。
【発明の詳細な説明】
【技術分野】
【０００１】
本発明は、コネクタに関する。
【背景技術】
【０００２】
従来、互いに嵌合可能な一対のコネクタハウジングを有するコネクタが知られている。例えば、下記特許文献１に記載されたコネクタは、雌コネクタハウジングのフード部内に、雄コネクタハウジングが嵌合されることで、両コネクタハウジングに保持された端子金具同士が接続されるものである。
【先行技術文献】
【特許文献】
【０００３】
【特許文献１】特開２０１３−８０６６２号公報
【発明の概要】
【発明が解決しようとする課題】
【０００４】
ところで、上記のようなコネクタでは、一対のコネクタハウジングの間に少なからず隙間がある。このため、車両のエンジンルーム内のように振動を受けやすい場所でコネクタが使用されると、正規嵌合した両コネクタハウジングが、その嵌合方向と交差する方向に繰り返し大きく相対変位し、接続した端子金具同士が擦れ合うことにより、その接点が摩耗する事態が懸念される。
【０００５】
本発明は上記のような事情に基づいて完成されたものであって、正規の嵌合状態にある一対のコネクタハウジングが、その嵌合方向と交差する方向に大きく相対変位することを防ぐことが可能なコネクタを提供することを目的とする。
【課題を解決するための手段】
【０００６】
本発明のコネクタは、互いに嵌合可能な一対のコネクタハウジングを有し、前記一対のコネクタハウジングのうち一方のコネクタハウジングには、他方のコネクタハウジングに外嵌可能なフード部が設けられ、前記一対のコネクタハウジングの正規の嵌合状態において前記フード部の外周面にバンドが巻き付けられているものである。
このような構成によれば、フード部の剛性が高まるから、正規の嵌合状態にある一対のコネクタハウジングが、その嵌合方向と交差する方向に大きく相対変位することを防ぐことができる。
【０００７】
また、前記バンドは合成樹脂製であるものとしてもよい。
このような構成によれば、例えば金属製の部材をコネクタハウジングに取り付ける場合に比して安価であるから、コストの増加を抑制することができる。
【０００８】
また、前記一対のコネクタハウジングが嵌合する前の状態において前記フード部の外周面に前記バンドが予め装着され、前記他方のコネクタハウジングには、前記一対のコネクタハウジングの嵌合動作に伴って前記フード部と前記バンドとの間に差し込まれる差込突部が設けられ、前記一対のコネクタハウジングの正規の嵌合状態では、前記差込突部が前記バンドの一部を外側に押すことで前記バンドの他の部分が前記フード部に押し付けられるものとしてもよい。
このような構成によれば、コネクタハウジングの嵌合作業とは別にバンドを巻き付ける作業を要しないから、作業工数の増加を防ぐことができる。
【発明の効果】
【０００９】
本発明によれば、正規の嵌合状態にある一対のコネクタハウジングが、その嵌合方向と交差する方向に大きく相対変位することを防ぐことが可能なコネクタを提供することができる。
【図面の簡単な説明】
【００１０】
【図１】実施形態１にかかるコネクタであって、正規の嵌合状態を示す断面図
【図２】正規の嵌合状態のコネクタを示す一部切欠き平面図
【図３】雌側コネクタハウジングを示す正面図
【図４】実施形態２にかかるコネクタであって、嵌合前の状態を示す平面図
【図５】正規の嵌合状態のコネクタを示す平面図
【発明を実施するための形態】
【００１１】
＜実施形態１＞
以下、本発明を具体化した実施形態１について、図１〜図３を参照しつつ詳細に説明する。
本実施形態におけるコネクタＣ１は、互いに嵌合可能な一対のコネクタハウジング１０，３０を有し、その一方のコネクタハウジング（以下、雌側コネクタハウジング１０と称する）には、他方のコネクタハウジング（以下、雄側コネクタハウジング３０と称する）に外嵌可能なフード部１１が設けられている。以下、各構成部材において、両コネクタハウジング１０，３０における嵌合面側をそれぞれ前方とし、また、図１の上側を上方、下側を下方として説明する。
【００１２】
雄側コネクタハウジング３０は、機器の壁面３１から角筒状をなして前方に突出する合成樹脂製の嵌合筒部３２を備えている。嵌合筒部３２の内側には、嵌合筒部３２の奥面から突出した雄側端子金具３３が３本配置されている。３本の雄側端子金具３３は、嵌合筒部３２の幅方向に所定の間隔をあけて並べられている。
【００１３】
嵌合筒部３２の上面における幅方向略中央には、後述する雌側コネクタハウジング１０のロックアーム２２が係止可能な被ロック部３４が設けられている。被ロック部３４は、嵌合筒部３２の上面に突設された突起である。
【００１４】
被ロック部３４の前面は、後方へ向かって少しずつ上る傾斜をなし、コネクタＣ１の嵌合過程でロックアーム２２が乗り上がるのを案内する面とされている。被ロック部３４の後面は、嵌合筒部３２の上面に対して略垂直をなして切り立ち、ロックアーム２２と係止する面とされている。
【００１５】
嵌合筒部３２の外周面には、両コネクタハウジング１０，３０の嵌合動作を案内するガイドリブ３５が、複数突設されている。ガイドリブ３５は、嵌合筒部３２の上面のうち被ロック部３４の両側と、嵌合筒部３２の両側面とに設けられている。嵌合筒部３２の上面に設けられた一対のガイドリブ３５の間隔は、ロックアーム２２の幅寸法と同等とされ、またそのガイドリブ３５の高さ寸法は、被ロック部３４の高さ寸法と同等もしくはそれよりも若干大きくされている。
【００１６】
雌側コネクタハウジング１０は合成樹脂製であり、電線Ｗの端末に接続された雌側端子金具１２を内部に収容可能な端子収容部１３と、端子収容部１３の周りを取り囲むフード部１１とを備えている。フード部１１の後端部は、端子収容部１３の前後方向の中心よりも若干後側の位置に連結されている。端子収容部１３とフード部１１との間には、雄側コネクタハウジング３０の嵌合筒部３２が前方から嵌合可能とされている。
【００１７】
端子収容部１３は、略ブロック状をなすとともに、その内部には雌側端子金具１２を後方から挿入可能なキャビティ１４が少なくとも１室以上（本実施形態では幅方向に並列して３室）設けられている。各キャビティ１４の下面には、雌側端子金具１２に係止可能なランス１５が設けられている。
【００１８】
雌側端子金具１２は、雄側端子金具３３が前方から挿入されて接続される接続部１２Ａと、電線Ｗの端末部に固着される固着部１２Ｂとを有している。
接続部１２Ａは略箱型をなし、その内部には、接続部１２Ａに挿入された雄側端子金具３３に弾性的に接触する弾性接触片（図示せず）が設けられている。
【００１９】
固着部１２Ｂは、前後に一対ずつかしめ片を有し、前側のかしめ片が電線Ｗの芯線に、後側のかしめ片が電線Ｗの被覆に嵌着されたシール栓１６にそれぞれかしめ付けられる。シール栓１６は、その内周面が電線Ｗの被覆の外周面に、外周面がキャビティ１４の内周面にそれぞれ密着することで、キャビティ１４内をシールする。
【００２０】
端子収容部１３の前端側には、フロントリテーナ１７が装着されている。フロントリテーナ１７には、各ランス１５の撓み変形を規制可能な撓み規制部１８が備えられている。
【００２１】
端子収容部１３の外周面には、シールリング１９が嵌着されている。シールリング１９は、その内周面が端子収容部１３の外周面に、外周面が雄側コネクタハウジング３０の嵌合筒部３２の内周面にそれぞれ密着することで、両コネクタハウジング１０，３０間をシールする。なお、シールリング１９は、フロントリテーナ１７の周壁部１７Ａの後側に位置することで、前方への抜け止めがなされている。
【００２２】
フード部１１は、前方へ開口する略角筒状をなしている。フード部１１には、雄側コネクタハウジング３０のガイドリブ３５と対応する位置に、ガイドリブ３５が進入可能なガイド溝部２３が設けられている。
【００２３】
フード部１１の上面には、所定範囲にわたって切欠部２１が形成され、切欠部２１にはロックアーム２２およびロック解除アーム２４が配されている（図２参照）。ロックアーム２２およびロック解除アーム２４は、いずれもその全体が、フード部１１の外周面よりも外側に突出しないものとされている（図１参照）。
【００２４】
ロックアーム２２は、後端部を基端とした片持ち状をなすアーム部２２Ａを一対と、一対のアーム部２２Ａの前端同士を連結した形態のロック部２２Ｂとを備え、平面視略Ｕ字型をなしている（図２参照）。ロックアーム２２は、アーム部２２Ａの基端を支点として上下方向（嵌合・離脱方向と交差する方向）に弾性変形可能とされている。ロック部２２Ｂの後面は、被ロック部３４に対して係止される面であり、図１に示すように、下端から上端に向かって被ロック部３４の後面から離れる向きで傾斜している。なお、ロックアーム２２の上面は、被ロック部３４の上面よりも上側に位置している。
【００２５】
一対のアーム部２２Ａの間には、ロック解除アーム２４が設けられている。ロック解除アーム２４は、端子収容部１３に連結された連結部２４Ａと、連結部２４Ａから前方に延出するとともにロックアーム２２の一部を下方から押し上げ可能なアーム部２４Ｂと、連結部２４Ａから後方に延出するとともにアーム部２４Ｂを押し上げるべく押圧操作される操作部２４Ｃとを備えている。ロック解除アーム２４は、連結部２４Ａを支点としてシーソー状に弾性変形可能とされ、操作部２４Ｃを下方へ押圧することで、アーム部２４Ｂがロックアーム２２を上方へ変位させ、ロックアーム２２と被ロック部３４との係止状態が解除される。
【００２６】
雄雌両コネクタハウジング１０，３０を正規深さまで嵌合すると、雄雌両端子金具１２，２３が正規に導通接続され、またロックアーム２２のロック部２２Ｂが被ロック部３４を乗り越え、ロックアーム２２が弾性復帰する。そして、ロックアーム２２のロック部２２Ｂと被ロック部３４とが前後方向に係止し、両コネクタハウジング１０，３０が正規の嵌合状態に保持される。
【００２７】
正規の嵌合状態に至った雄雌両コネクタハウジング１０，３０には、バンド４０が巻き付けられている。バンド４０は、両コネクタハウジング１０，３０が正規嵌合された後に、フード部１１の外周面に巻き付けられる。バンド４０は、ロックアーム２２の操作部２４Ｃよりも前側に位置している。
【００２８】
バンド４０はプラスチック製であって、箱型状をなすヘッド部４１と、ヘッド部４１から延びる帯状のバンド部４２とを備えて構成されている（図３参照）。ヘッド部４１とバンド部４２とは、射出成形によって一体に形成されている。
【００２９】
バンド部４２の長さ寸法は、フード部１１の全周に巻き付けることのできる寸法とされている。また、バンド部４２の厚さ寸法は、バンド部４２をフード部１１の周りに巻き付けることができる程度の可撓性を有するように設定されている。なお、バンド部４２の幅寸法は略一定とされている。
【００３０】
フード部１１の外周面に巻き付けられたバンド部４２の先端部はヘッド部４１に挿入される。そして、ヘッド部４１によりバンド部４２の先端部が抜け止め状態に保持され、バンド４０がフード部１１の外周面に巻き付けられた状態に保持される。
【００３１】
次に、上記のように構成された実施形態１の作用および効果について説明する。
本実施形態のコネクタＣ１は、互いに嵌合可能な一対のコネクタハウジング１０，３０を有し、そのうち雌側コネクタハウジング１０には、雄側コネクタハウジング３０に外嵌可能なフード部１１が設けられ、雄雌両コネクタハウジング１０，３０の正規の嵌合状態においてフード部１１の外周面にバンド４０が巻き付けられているものである。
【００３２】
これにより、フード部１１の剛性が高まるから、正規の嵌合状態にある雄雌両コネクタハウジング１０，３０において、例えば雌側コネクタハウジング１０の後端部に上下方向の力が作用した場合の雌側コネクタハウジング１０の後端部の変位は、バンド４０が巻き付けられていない場合に比して小さくなる。したがって、正規の嵌合状態にある雄雌両コネクタハウジング１０，３０が、その嵌合方向と交差する方向に大きく相対変位することを防ぐことができる。
【００３３】
なお、本実施形態のコネクタＣ１は、雄側コネクタハウジング３０が、両コネクタハウジング１０，３０の嵌合方向とは交差方向に広がる壁面３１に突設されたものであるから、両コネクタハウジング１０，３０の相対変位を小さくするべく前後方向にバンド４０を巻き付けることはできない。したがって、本実施形態のコネクタＣ１においては、雌側コネクタハウジング１０の外周面に周方向にバンド４０を巻き付けることが特に有利である。
【００３４】
また、バンド４０は合成樹脂製である。これにより、例えば金属製の部材をコネクタＣ１に取り付ける場合に比して安価であるから、コストの増加を抑制することができる。
【００３５】
＜実施形態２＞
次に、本発明を具体化した実施形態２にかかるコネクタＣ２を図４および図５によって説明する。
本実施形態のコネクタＣ２は、一対のコネクタハウジング１０，３０が嵌合する前の状態においてフード部１１の外周面にバンド４０が予め装着されるものとした点で、実施形態１とは相違する。なお、実施形態１と同様の構成には同一符号を付して重複する説明を省略する。
【００３６】
本実施形態のコネクタＣ２は、実施形態１と同様に、互いに嵌合可能な一対のコネクタハウジング１０，３０を有し、雌側コネクタハウジング１０には、雄側コネクタハウジング３０に外嵌可能なフード部１１が設けられている。また、コネクタＣ２には、実施形態１と同様に、一対のコネクタハウジング１０，３０の正規の嵌合状態においてフード部１１の外周面にプラスチック製のバンド４０が巻き付けられている。
【００３７】
バンド４０は、雌側コネクタハウジング１０のフード部１１に予め装着されている。バンド４０は、フード部１１の外周面のうち切欠部２１よりも前側の部分に巻き付けられている。バンド４０は、フード部１１の上面および下面に一対ずつ設けられた固定部５１によって、前後方向への位置ずれを規制された状態で固定されている。
【００３８】
バンド４０とフード部１１との間には、後述する雄側コネクタハウジング３０に設けられた差込突部５５が差し込まれる差込穴部５２が設けられている。差込穴部５２は、バンド４０がフード部１１から離れて位置することで形成されるものである。差込穴部５２は、雌側コネクタハウジング１０の幅方向の両端部に設けられており、正面から見たバンド４０の形状は、幅方向に長い長円形状をなしている。以下、バンド４０のうち長手方向に延びる部分を長辺部５３、短手方向に延びる部分であって差込穴部５２を構成する部分を短辺部５４と称する。
【００３９】
雄側コネクタハウジング３０には、一対のコネクタハウジング１０，３０の嵌合動作に伴って差込穴部５２に差し込まれる差込突部５５が一対設けられている。一対の差込突部５５は、雄側コネクタハウジング３０の後端部に設けられている。各差込突部５５は、全体として雄側コネクタハウジング３０の側面から斜め前方に突出する形状をなしている。
【００４０】
差込突部５５と雄側コネクタハウジング３０の側面との間には、雌側コネクタハウジング１０のフード部１１が嵌合可能な嵌合空間５６が設けられている。また、差込突部５５には、バンド４０の内周面に係止するバンド係止部５７が設けられている。バンド係止部５７は、弧状をなしている。
【００４１】
一対のコネクタハウジング１０，３０を嵌合させると、差込突部５５が雄側コネクタハウジング３０の側面に接近する方向に若干弾性変形して、差込穴部５２に差し込まれる。そして、一対のコネクタハウジング１０，３０が正規の嵌合状態に至ると、差込穴部５２に差し込まれた差込突部５５がバンド４０の短辺部５４を外側に押し、バンド４０の長辺部５３がフード部１１の上面および下面に押し付けられた状態（締め付け状態）になる。また、差込突部５５のバンド係止部５７に、バンド４０の短辺部５４の前縁および後縁が引っ掛かった状態になり、これにより、差込突部５５が差込穴部５２から抜け出すことが防止され、バンド４０は締め付け状態に保持される。なお、両コネクタハウジング１０，３０が正規の嵌合状態であるときには、嵌合空間５６に嵌合したフード部１１の前端部が差込突部５５に当接した状態になる。
【００４２】
以上のように本実施形態においては、一対のコネクタハウジング１０，３０が嵌合する前の状態においてフード部１１の外周面にバンド４０が予め装着され、雄側コネクタハウジング３０には、一対のコネクタハウジング１０，３０の嵌合動作に伴ってフード部１１とバンド４０との間に差し込まれる差込突部５５が設けられ、一対のコネクタハウジング１０，３０の正規の嵌合状態では、差込突部５５がバンド４０の一部を外側に押すことでバンド４０の他の部分がフード部１１に押し付けられるものとされているので、実施形態１と同様に、フード部１１の剛性が高まるから、正規の嵌合状態にある一対のコネクタハウジング１０，３０が、その嵌合方向と交差する方向に大きく相対変位することを防ぐことができ、加えて、一対のコネクタハウジング１０，３０の嵌合作業とは別にバンド４０を巻き付ける作業を要しないから、作業工数の増加を防ぐことができる。
【００４３】
＜他の実施形態＞
本発明は上記記述及び図面によって説明した実施形態に限定されるものではなく、例えば次のような実施形態も本発明の技術的範囲に含まれる。
（１）上記実施形態では、本発明を、一対のコネクタハウジング１０，３０のうち雌側コネクタハウジング１０に、フード部１１が設けられているコネクタＣ１（Ｃ２）に適用した場合を示したが、これに限らず、本発明は、反対に、雄側コネクタハウジングにフード部が設けられているコネクタにも適用することができる。
（２）上記実施形態では、本発明を、雄側コネクタハウジング３０が機器の壁面３１に突設されているコネクタＣ１（Ｃ２）に適用した場合を示したが、これに限らず、本発明は、雄側コネクタハウジングが壁面に突設されていないコネクタにも適用することができる。
（３）上記実施形態では、バンド４０はプラスチック製とされているが、これに限らず、例えば金属製であってもよく、また各種汎用品のバンドを使用することができる。
（４）実施形態２では、差込穴部５２は、雌側コネクタハウジング１０の幅方向の両端部に設けられているが、差込穴部を設ける位置はどのような位置であってもよく、例えば雌側コネクタハウジングの上面側または下面側に設けてもよい。
（５）実施形態２では、差込穴部５２は２か所に設けられているが、差込穴部を設ける箇所数は、１か所または３か所以上であってもよく、例えば、差込穴部は、雌側コネクタハウジングの幅方向の両端部のうちいずれか一方のみに設けてもよく、また雌側コネクタハウジングの幅方向の両端部に加えて雌側コネクタハウジングの上面側または下面側に設けてもよい。
【符号の説明】
【００４４】
Ｃ１，Ｃ２…コネクタ
１０…雌側コネクタハウジング（一方のコネクタハウジング）
１１…フード部
３０…雄側コネクタハウジング（他方のコネクタハウジング）
４０…バンド
５５…差込突部
【図１】
2015103368.tif 000003
【図２】
2015103368.tif 000004
【図３】
2015103368.tif 000005
【図４】
2015103368.tif 000006
【図５】
2015103368.tif 000007